【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
無機系バインダーまたは有機系バインダーに、質量％で、Ｍｇ：０．０１〜３０％を含有し、残部Ｚｎ及び不可避的不純物からなるＺｎ合金粒子を乾燥塗膜換算で３０質量％以上分散させた高耐食性防錆塗料であって、前記Ｚｎ合金粒子は、物理的破砕面および／または長さ０．０１μｍ以上のき裂もしくは深さ０．０１μｍ以上のき裂を有し、かつ、一つのピークとその両側の裾野からなる粒径頻度分布を有するピーク粒径０．０５〜５μｍの細粒Ｚｎ合金粒子と、別の一つのピークとその両側の裾野からなる粒径頻度分布を有するピーク粒径６〜１００μｍの粗粒Ｚｎ合金粒子とからなり、これら全Ｚｎ合金粒子に占める粒径０．０５〜５μｍのＺｎ合金粒子の割合が、体積％で、５〜９９％であることを特徴とする、高耐食性防錆塗料。
【請求項２】
無機系バインダーまたは有機系バインダーに、質量％で、Ｍｇ：０．０１〜３０％を含有し、残部Ｚｎ及び不可避的不純物からなるＺｎ合金粒子を乾燥塗膜換算で３０質量％以上分散させた高耐食性防錆塗料であって、前記Ｚｎ合金粒子は、物理的破砕面および／または長さ０．０１μｍ以上のき裂もしくは深さ０．０１μｍ以上のき裂を有し、かつ、一つのピークとその両側の裾野からなる粒径頻度分布を有する平均粒径０．０１〜５μｍの細粒Ｚｎ合金粒子と、別の一つのピークとその両側の裾野からなる粒径頻度分布を有する平均粒径６〜１００μｍの粗粒Ｚｎ合金粒子とからなり、これら前記細粒および粗粒Ｚｎ合金粒子に占める前記細粒Ｚｎ合金粒子の割合が、体積％で、５〜９９％であることを特徴とする、高耐食性防錆塗料。
【請求項３】
前記Ｚｎ合金粒子が、更に、質量％で、Ａｌ：０．０１〜３０％、Ｓｉ：０．０１〜３％の１種又は２種を含有することを特徴とする、請求項１または２に記載の高耐食性防錆塗料。
【請求項４】
前記Ｚｎ合金粒子の最大径と最小径のアスペクト比（最大径／最小径）の平均値が１〜１．５であることを特徴とする、請求項１〜３の何れか１項に記載の高耐食性防錆塗料。
【請求項５】
前記Ｚｎ合金粒子は、破砕面および／またはき裂にＭｇ固溶相及びＺｎ−Ｍｇ金属間化合物を有することを特徴とする、請求項１〜４の何れか１項に記載の高耐食性防錆塗料。
【請求項６】
前記Ｚｎ−Ｍｇ金属間化合物が、ＭｇＺｎ2、Ｍｇ2Ｚｎ11、Ｍｇ2Ｚｎ3、ＭｇＺｎ、Ｍｇ7Ｚｎ3の１種又は２種以上からなることを特徴とする、請求項５に記載の高耐食性防錆塗料。
【請求項７】
前記Ｚｎ合金粒子は、複数面体であることを特徴とする、請求項１〜６の何れか１項に記載の高耐食性防錆塗料。ここで、１つの閉じた稜線で囲まれた平面または曲面を１つの面とする。
【請求項８】
前記細粒及び粗粒Ｚｎ合金粒子に加え、さらにＺｎ及び不可避的不純物からなるＺｎ金属粒子を混合したことを特徴とする、請求項１〜７の何れか１項に記載の高耐食性防錆塗料。
【請求項９】
前記細粒及び粗粒Ｚｎ合金粒子に加え、さらに平均粒径０．０５〜５０μｍのＺｎ及び不可避的不純物からなるＺｎ金属粒子を分散させた高耐食性防錆塗料であって、全金属粒子の総和に占める粒径０．０５〜５μｍのＺｎ合金粒子の合計体積％が５〜９９％であり、かつ、全金属粒子を乾燥塗膜換算で合計３０質量％以上分散させたことを特徴とする、請求項１〜７の何れか１項に記載の高耐食性防錆塗料。
【請求項１０】
更に、質量％で、（前記細粒及び粗粒Ｚｎ合金粒子量）：（前記平均粒径０．０５〜５０μｍのＺｎ及び不可避的不純物からなるＺｎ金属粒子量）の比の値を１／ｘとしたとき、ｘが３００．０以下であることを特徴とする、請求項９記載の高耐食性防錆塗料。
【請求項１１】
質量％で、前記Ｚｎ合金粒子と前記平均粒径０．０５〜５０μｍのＺｎ及び不可避的不純物からなるＺｎ金属粒子との混合粒子の合計を１００％としたとき、該混合粒子中のＭｇの含有量が０．０１〜３０％未満であることを特徴とする、請求項１０記載の高耐食性塗料。
【請求項１２】
請求項１〜１１の何れか１項に記載の高耐食性防錆塗料が塗装された鉄鋼材料であって、乾燥塗装厚みが２〜７００μｍであり、前記細粒及び粗粒Ｚｎ合金粒子が塗膜中に分散していることを特徴とする、高耐食性鉄鋼材料。
【請求項１３】
乾燥塗膜の最表層１０％厚さ領域での粒径０．０５〜５μｍの前記細粒Ｚｎ合金粒子の含有割合が、乾燥塗膜全体の粒径０．０５〜５μｍの細粒Ｚｎ合金粒子の含有割合の２倍以上であることを特徴とする、請求項１２に記載の高耐食性鉄鋼材料。
【請求項１４】
請求項１２または請求項１３に記載の高耐食性鉄鋼材料を一部又は全部に有することを特徴とする、鋼構造物。
【手続補正２】
【補正対象書類名】明細書
【補正対象項目名】００１８
【補正方法】変更
【補正の内容】
【００１８】
本発明は、以上のような検討に基づきなされたものであり、その特徴は以下の通りである。
〔１〕無機系バインダーまたは有機系バインダーに、質量％で、Ｍｇ：０．０１〜３０％を含有し、残部Ｚｎ及び不可避的不純物からなるＺｎ合金粒子を乾燥塗膜換算で３０質量％以上分散させた高耐食性防錆塗料であって、前記Ｚｎ合金粒子は、物理的破砕面および／または長さ０．０１μｍ以上のき裂もしくは深さ０．０１μｍ以上のき裂を有し、かつ、一つのピークとその両側の裾野からなる粒径頻度分布を有するピーク粒径０．０５〜５μｍの細粒Ｚｎ合金粒子と、別の一つのピークとその両側の裾野からなる粒径頻度分布を有するピーク粒径６〜１００μｍの粗粒Ｚｎ合金粒子とからなり、これら全Ｚｎ合金粒子に占める粒径０．０５〜５μｍのＺｎ合金粒子の割合が、体積％で、５〜９９％であることを特徴とする、高耐食性防錆塗料。
〔２〕  無機系バインダーまたは有機系バインダーに、質量％で、Ｍｇ：０．０１〜３０％を含有し、残部Ｚｎ及び不可避的不純物からなるＺｎ合金粒子を乾燥塗膜換算で３０質量％以上分散させた高耐食性防錆塗料であって、前記Ｚｎ合金粒子は、物理的破砕面および／または長さ０．０１μｍ以上のき裂もしくは深さ０．０１μｍ以上のき裂を有し、かつ、一つのピークとその両側の裾野からなる粒径頻度分布を有する平均粒径０．０１〜５μｍの細粒Ｚｎ合金粒子と、別の一つのピークとその両側の裾野からなる粒径頻度分布を有する平均粒径６〜１００μｍの粗粒Ｚｎ合金粒子とからなり、これら前記細粒および粗粒Ｚｎ合金粒子に占める前記細粒Ｚｎ合金粒子の割合が、体積％で、５〜９９％であることを特徴とする、高耐食性防錆塗料。
〔３〕前記Ｚｎ合金粒子が、更に、質量％で、Ａｌ：０．０１〜３０％、Ｓｉ：０．０１〜３％の１種又は２種を含有することを特徴とする、前記〔１〕または〔２〕に記載の高耐食性防錆塗料。
〔４〕前記Ｚｎ合金粒子の最大径と最小径のアスペクト比（最大径／最小径）の平均値が１〜１．５であることを特徴とする、前記〔１〕〜〔３〕の何れか１項に記載の高耐食性防錆塗料。
〔５〕前記Ｚｎ合金粒子は、破砕面および／またはき裂にＭｇ固溶相及びＺｎ−Ｍｇ金属間化合物を有することを特徴とする、前記〔１〕〜〔４〕の何れかに記載の高耐食性防錆塗料。
〔６〕前記Ｚｎ−Ｍｇ金属間化合物が、ＭｇＺｎ2、Ｍｇ2Ｚｎ11、Ｍｇ2Ｚｎ3、ＭｇＺｎ、Ｍｇ7Ｚｎ3の１種又は２種以上からなることを特徴とする、前記〔５〕に記載の高耐食性防錆塗料。
〔７〕前記Ｚｎ合金粒子は、複数面体であることを特徴とする、前記〔１〕〜〔６〕の何れかに記載の高耐食性防錆塗料。ここで、１つの閉じた稜線で囲まれた平面または曲面を１つの面とする。
〔８〕前記細粒及び粗粒Ｚｎ合金粒子に加え、さらにＺｎ及び不可避的不純物からなるＺｎ金属粒子を混合したことを特徴とする、〔１〕〜〔７〕の何れかに記載の高耐食性防錆塗料。
〔９〕前記細粒及び粗粒Ｚｎ合金粒子に加え、さらに平均粒径０．０５〜５０μｍのＺｎ及び不可避的不純物からなるＺｎ金属粒子を分散させた高耐食性防錆塗料であって、全金属粒子の総和に占める粒径０．０５〜５μｍのＺｎ合金粒子の合計体積％が５〜９９％であり、かつ、全金属粒子を乾燥塗膜換算で合計３０質量％以上分散させたことを特徴とする、〔１〕〜〔７〕の何れかに記載の高耐食性防錆塗料。
〔１０〕更に、質量％で、（前記細粒及び粗粒Ｚｎ合金粒子量）：（前記平均粒径０．０５〜５０μｍのＺｎ及び不可避的不純物からなるＺｎ金属粒子量）の比の値を１／ｘとしたとき、ｘが３００．０以下であることを特徴とする前記〔９〕に記載の高耐食性防錆塗料。
〔１１〕質量％で、前記Ｚｎ合金粒子と前記平均粒径０．０５〜５０μｍのＺｎ及び不可避的不純物からなるＺｎ金属粒子との混合粒子の合計を１００％としたとき、該混合粒子中のＭｇの含有量が０．０１〜３０％未満であることを特徴とする、前記〔１０〕記載の高耐食性塗料。
〔１２〕前記〔１〕〜〔１１〕の何れかに記載の高耐食性防錆塗料が塗装された鉄鋼材料であって、乾燥塗装厚みが２〜７００μｍであり、前記細粒及び粗粒Ｚｎ合金粒子が塗膜中に分散していることを特徴とする、高耐食性鉄鋼材料。
〔１３〕乾燥塗膜の最表層１０％厚さ領域での粒径０．０５〜５μｍの前記細粒Ｚｎ合金粒子の含有割合が、乾燥塗膜全体の粒径０．０５〜５μｍの細粒Ｚｎ合金粒子の含有割合の２倍以上であることを特徴とする、前記〔１２〕に記載の高耐食性鉄鋼材料。
〔１４〕前記〔１２〕または〔１３〕に記載の高耐食性鉄鋼材料を一部又は全部に有することを特徴とする、鋼構造物。
【手続補正３】
【補正対象書類名】明細書
【補正対象項目名】００７１
【補正方法】変更
【補正の内容】
【００７１】
【表３−１】
2008106235.tif 000001
【表３−２】
2008106235.tif 000002
【表３−３】
2008106235.tif 000003
【表３−４】
2008106235.tif 000004
【表３−５】
2008106235.tif 000005
【手続補正４】
【補正対象書類名】明細書
【補正対象項目名】００７２
【補正方法】変更
【補正の内容】
【００７２】
【表４−１】
2008106235.tif 000006
【表４−２】
2008106235.tif 000007
【表４−３】
2008106235.tif 000008
【表４−４】
2008106235.tif 000009
【表４−５】
2008106235.tif 000010
【表４−６】
2008106235.tif 000011
【手続補正５】
【補正対象書類名】明細書
【補正対象項目名】００７３
【補正方法】変更
【補正の内容】
【００７３】
【表５−１】
2008106235.tif 000012
【表５−２】
2008106235.tif 000013
【表５−３】
2008106235.tif 000014
【表５−４】
2008106235.tif 000015
【表５−５】
2008106235.tif 000016
【表５−６】
2008106235.tif 000017
【手続補正６】
【補正対象書類名】明細書
【補正対象項目名】００７４
【補正方法】削除
【補正の内容】
【手続補正７】
【補正対象書類名】明細書
【補正対象項目名】００７５
【補正方法】変更
【補正の内容】
【００７５】
【表７−１】
2008106235.tif 000018
【表７−２】
2008106235.tif 000019
【表７−３】
2008106235.tif 000020
【表７−４】
2008106235.tif 000021
【表７−５】
2008106235.tif 000022
【手続補正８】
【補正対象書類名】明細書
【補正対象項目名】００７６
【補正方法】変更
【補正の内容】
【００７６】
【表８−１】
2008106235.tif 000023
【表８−２】
2008106235.tif 000024
【表８−３】
2008106235.tif 000025
【表８−４】
2008106235.tif 000026
【表８−５】
2008106235.tif 000027
【手続補正９】
【補正対象書類名】明細書
【補正対象項目名】００７７
【補正方法】変更
【補正の内容】
【００７７】
【表９−１】
2008106235.tif 000028
【表９−２】
2008106235.tif 000029
【表９−３】
2008106235.tif 000030
【表９−４】
2008106235.tif 000031
【表９−５】
2008106235.tif 000032
【手続補正１０】
【補正対象書類名】明細書
【補正対象項目名】００７８
【補正方法】変更
【補正の内容】
【００７８】
【表１０−１】
2008106235.tif 000033
【表１０−２】
2008106235.tif 000034
【表１０−３】
2008106235.tif 000035
【表１０−４】
2008106235.tif 000036
【表１０−５】
2008106235.tif 000037
【手続補正１１】
【補正対象書類名】明細書
【補正対象項目名】００７９
【補正方法】削除
【補正の内容】
【手続補正１２】
【補正対象書類名】明細書
【補正対象項目名】００８０
【補正方法】変更
【補正の内容】
【００８０】
【表１２−１】
2008106235.tif 000038
【表１２−２】
2008106235.tif 000039
【表１２−３】
2008106235.tif 000040
【表１２−４】
2008106235.tif 000041
【手続補正１３】
【補正対象書類名】明細書
【補正対象項目名】００８１
【補正方法】変更
【補正の内容】
【００８１】
【表１３−１】
2008106235.tif 000042
【表１３−２】
2008106235.tif 000043
【表１３−３】
2008106235.tif 000044
【表１３−４】
2008106235.tif 000045
【手続補正１４】
【補正対象書類名】明細書
【補正対象項目名】００８２
【補正方法】変更
【補正の内容】
【００８２】
【表１４−１】
2008106235.tif 000046
【表１４−２】
2008106235.tif 000047
【表１４−３】
2008106235.tif 000048
【表１４−４】
2008106235.tif 000049
【表１４−５】
2008106235.tif 000050
【手続補正１５】
【補正対象書類名】明細書
【補正対象項目名】００８３
【補正方法】変更
【補正の内容】
【００８３】
【表１５−１】
2008106235.tif 000051
【表１５−２】
2008106235.tif 000052
【表１５−３】
2008106235.tif 000053
【表１５−４】
2008106235.tif 000054
【表１５−５】
2008106235.tif 000055
【手続補正１６】
【補正対象書類名】明細書
【補正対象項目名】００８４
【補正方法】変更
【補正の内容】
【００８４】
【表１６−１】
2008106235.tif 000056
【表１６−２】
2008106235.tif 000057
【表１６−３】
2008106235.tif 000058
【表１６−４】
2008106235.tif 000059
【手続補正１７】
【補正対象書類名】明細書
【補正対象項目名】００８５
【補正方法】変更
【補正の内容】
【００８５】
【表１７−１】
2008106235.tif 000060
【表１７−２】
2008106235.tif 000061
【表１７−３】
2008106235.tif 000062
【表１７−４】
2008106235.tif 000063
【手続補正１８】
【補正対象書類名】明細書
【補正対象項目名】００８６
【補正方法】変更
【補正の内容】
【００８６】
【表１８−１】
2008106235.tif 000064
【表１８−２】
2008106235.tif 000065
【表１８−３】
2008106235.tif 000066
【表１８−４】
2008106235.tif 000067
【手続補正１９】
【補正対象書類名】明細書
【補正対象項目名】００８７
【補正方法】変更
【補正の内容】
【００８７】
【表１９−１】
2008106235.tif 000068
【表１９−２】
2008106235.tif 000069
【表１９−３】
2008106235.tif 000070
【表１９−４】
2008106235.tif 000071
【手続補正２０】
【補正対象書類名】明細書
【補正対象項目名】００８８
【補正方法】変更
【補正の内容】
【００８８】
【表２０−１】
2008106235.tif 000072
【表２０−２】
2008106235.tif 000073
【表２０−３】
2008106235.tif 000074
【表２０−４】
2008106235.tif 000075
【手続補正２１】
【補正対象書類名】明細書
【補正対象項目名】００８９
【補正方法】変更
【補正の内容】
【００８９】
【表２１−１】
2008106235.tif 000076
【表２１−２】
2008106235.tif 000077
【表２１−３】
2008106235.tif 000078
【表２１−４】
2008106235.tif 000079